(57)【特許請求の範囲】
【請求項１】
表示物を保持可能な表示物保持部と、該表示物保持部を回動可能に支持する支持部と、前記表示物保持部が前記支持部に対して所定の位置から回動した回動状態から、該所定の位置に復帰させるように前記表示物保持部又は前記支持部を付勢する付勢手段と、を備えた表示物取付器具であって、
前記付勢手段は、前記表示物保持部及び前記支持部のいずれか一方に一体成形された一対の付勢片から構成され、
該一対の付勢片は、同一の形状から構成されるとともに、互いに逆方向に前記表示物保持部及び前記支持部のいずれか他方を付勢するように構成され、
前記表示物保持部及び前記支持部のいずれか他方には、前記一対の付勢片のいずれにも当接するとともに、回動軸を偏心とする曲面からなる当接面が形成され、
前記支持部は、前記当接面が前記一対の付勢片を付勢力に抗して押圧した状態で前記表示物保持部を支持していることを特徴とする表示物取付器具。
【請求項２】
前記一対の付勢片は、前記表示物保持部及び前記支持部のいずれか一方から他方に向かって、前記回動軸に垂直な面に沿って他の付勢片に向かって斜め方向に突出し、該付勢片各々の先端が接触することなく、前記回動軸方向から見て交差するように形成されていることを特徴とする請求項１記載の表示物取付器具。
【請求項３】
前記一対の付勢片は、前記表示物保持部及び前記支持部のいずれか一方が他方に対して垂直な位置で静置されるように前記当接面を付勢することを特徴とする請求項１又は２記載の表示物取付器具。
【請求項４】
前記当接面は、横長の曲面を有することを特徴とする請求項１乃至３いずれか１項記載の表示物取付器具。
【発明の詳細な説明】
【技術分野】
【０００１】
本発明は、商品陳列用の棚の端に装着され、商品の種別や値段等の表示物を挟持して表示する表示物取付器具に関する。
【背景技術】
【０００２】
従来から、商品が陳列された商品陳列棚などには、その商品の名称、価格又はカテゴリなど商品内容が記載された商品内容表示カードが取り付けられており、この商品内容表示カードを商品陳列棚などに取り付けるものとして、様々な表示物取付器具が使用されている。
【０００３】
このような表示物取付器具は、商品陳列棚から通路側に突出した状態で取り付けられることが多いので、商品内容表示カードが通行人と接触して、表示物取付器具が曲がってしまう場合がある。
【０００４】
このため、従来の表示物取付器具として、図１０に示すように商品内容表示カード７６を保持可能な表示物保持部７８と、表示物保持部７８を回動可能に支持する支持部８０と、表示物保持部７８が支持部８０に対して所定の位置から回動した回動状態から、所定の位置に復帰させるように表示物保持部７８を付勢するコイルばね８２と、を備えた表示物取付器具があり（特許文献１）、このような表示物取付器具によれば、商品内容表示カード７６が通行人に接触すると、表示物保持部７８が支持部８０に対して回動するが、その後、コイルばね８２の付勢力によって表示物保持部７８を元の所定の位置に復帰させることができる。
【０００５】
【特許文献１】特開２００１―１７５１７３号公報
【発明の開示】
【発明が解決しようとする課題】
【０００６】
このような表示物取付器具において、表示物保持部７８を支持部８０に対して付勢しているコイルばね８２は、表示物保持部７８や支持部８０に対して別体として構成されているので、表示物保持部７８と支持部８０の間のガタツキを無くすために、コイルばね８２の両端部８２ａ、８２ｂを表示物保持部７８や支持部８０に対して密に嵌める必要がある。しかし、コイルばね８２の両端部８２ａ、８２ｂを表示物保持部７８や支持部８０に対して密に嵌めるように、表示物保持部７８や支持部８０を加工するのは、容易でない。コイルばね８２の両端部８２ａ、８２ｂの密に嵌る位置が少しでもずれてしまったり、また密に嵌ってもコイルばね８２の調整が上手く行かないと、表示部保持部７８を支持部８０に対して所定の位置で維持したり、回動後に所定の位置に復帰させることができないという問題がある。
【０００７】
そこで、本発明は、表示物保持部を支持部に対して所定の位置に維持させたり、回動後に所定の位置に復帰させることが可能な表示物取付器具を提供することを目的とする。
【課題を解決するための手段】
【０００８】
以上の目的を達成するため、本発明は、表示物を保持可能な表示物保持部と、該表示物保持部を回動可能に支持する支持部と、前記表示物保持部が前記支持部に対して所定の位置から回動した回動状態から、該所定の位置に復帰させるように前記表示物保持部を付勢する付勢手段と、を備えた表示物取付器具であって、前記付勢手段は、前記表示物保持部及び前記支持部のいずれか一方に一体成形されていることを特徴とする。
【０００９】
本発明に係る表示物取付器具によれば、付勢手段を表示物保持部及び支持部のいずれか一方に一体成形しているので、付勢手段と表示部保持部又は支持部とのずれなどが生じることもなく、また付勢手段の付勢力の調整などが不要なので、表示物保持部を支持部に対して所定の位置に維持させたり、回動後に所定の位置に復帰させることができる。
【００１０】
本発明に係る表示物取付器具において、前記付勢手段は、同一の形状から構成されるとともに、互いに逆方向に前記表示物保持部を付勢する一対の付勢片から構成されていることが好ましく、このように一対の付勢片が互いに逆方向に前記表示物保持部を付勢することにより、前記表示物保持部を支持部に対して垂直な状態で維持させ、回動後も垂直な状態に復帰させることができる。
【００１１】
また、本発明に係る表示物取付器具において、前記一対の付勢片は、前記表示物保持部及び前記支持部のいずれか一方から他方に向かって、前記回動軸に垂直な面に沿って他の付勢片に向かって斜め方向に突出し、該付勢片各々の先端が接触することなく、前記回動軸方向から見て交差するように形成され、前記表示物保持部及び前記支持部のいずれか他方には、前記一対の付勢片のいずれにも当接するとともに、回動軸を偏心とする曲面からなる当接面が形成され、前記支持部は、前記当接面が前記一対の付勢片を付勢力に抗して押圧した状態で前記表示物保持部を支持していることが好ましく、さらに、前記一対の付勢片は、前記表示物保持部及び前記支持部のいずれか一方が他方に対して垂直な位置で静置されるように前記当接面を付勢することが好ましい。またさらに、前記当接面は、横長の曲面を有することが好ましい。
【発明の効果】
【００１２】
以上のように、本発明によれば、表示物保持部を支持部に対して所定の位置に維持させたり、回動後に所定の位置に復帰させることが可能な表示物取付器具を提供することができる。
【発明を実施するための最良の形態】
【００１３】
次に、本発明に係る表示物取付器具の実施例について図面に基づいて説明する。ここで、図１は、本実施例に係る表示物取付器具の正面図であり、図２は、図１の側面図であり、図３は、図１のＡ−Ａ’断面図であり、図４は、図２の分解一部断面図である。
【００１４】
本実施例に係る表示物取付器具は、先端に表示物を保持する表示物保持部２と、表示物保持部２を回動可能に支持するとともに商品陳列棚に装着可能な支持部４と、を備えおり、これら表示物保持部２と支持部４は、比較的柔軟性を有する合成樹脂、例えばポリカーボネイトから一体成型されている。
【００１５】
表示物保持部２は、表示物を把持可能なクリップ部材６と、クリップ部材６と支持部４とを連結する中間部材８と、を備える。
【００１６】
クリップ部材６は、主として、横長の略平面矩形状に形成された第１表示物保持片１０と、第１表示物保持片１０と対向して設けられ、同様に横長の略平面矩形状の第２表示物保持片１２と、から構成されている。その第１表示物保持片１０の末端近傍内側には、第１突部１４が形成され、同様に、第２表示物保持片１２の末端近傍内側にも第２突部１６が形成されている。この第１突部１４の上面と第２突部１６の上面とが開閉軸として当接されるとともに、第１突部１４と第２突部１６の末端側が三角クリップ状のばね部１８、１８により連結されることによって、第１表示物保持片１０と第２表示物保持片１２との先端が付勢され、互いに押圧されたクリップ形状を構成している。第１表示物保持片１０の先端内側には、挟持する表示物の滑り止めとして機能する弾性部材２０が設けられている。第１表示物保持片１０の末端中央部には、クリップを開く際に使用者が押圧する操作部２２が平面方向に突出して形成されている。第２表示物保持片１２の末端中央部には、半円形状の突出部２４が平面方向に突出して設けられている。この突出部２４は、肉厚に形成されており、その周辺上には、一定間隔及び一定形状の凹部を有する歯形部２４ａが形成され、その表裏面には半円の中心から突出した第１突起部２４ｂ、２４ｂが形成されている。
【００１７】
中間部材８は、主として、ベース部２６と、ベース部２６から突出部２４の表裏面を挟むように延びるとともに、突出部２４の第１突起部２４ｂ、２４ｂを軸支する一対の平板状の支持片３０、３０と、ベース部２６から歯形部２４ａを囲むように左右均等に略半円形状に湾曲し、所定の位置で屈曲して先端を末端方向に直線状に延ばす係合腕３２、３２と、から構成されている。
【００１８】
ベース部２６の左右側面には、後述する支持部４の支持片４２、４２の支持孔４２ａ、４２ａに挿嵌され、表示物保持部２を支持部４に対して回動可能に支持可能にさせる第２突起部２８、２８が突出している。ベース部２６の末端側の面には、表示物保持部２の支持部４に対する回動軸を偏心とする横長の曲面である当接面２６ａが形成されている。各支持片３０、３０の先端近傍には、クリップ部材６の突出部２４の第１突起部２４ｂ、２４ｂが挿嵌可能な支持孔３０ａ、３０ａが形成されており、支持片３０、３０は、第１突起部２４ｂ、２４ｂをこの支持孔３０ａ、３０ａに挿嵌させることによって、クリップ部材６を中間部材８に対して回動可能に支持している。支持片３０、３０のベース部２６の近傍には、それぞれの表面側に突起３４、３４が、後述する支持部４の付勢片４６、４６それぞれに整合する位置に設けられている。突起３４、３４は、このように付勢片４６、４６と整合する位置に設けられているので、表示物保持部２が支持部４に対して回動すると、付勢片４６、４６に当接してその回動を規制するように機能する。
【００１９】
係合腕３２それぞれの屈曲した位置の内側には、歯形部２４ａの凹部に係合可能な係合部３６、３６が設けられており、この係合部３６、３６が歯形部２４ａの凹部に係合することによって、クリップ部材６の中間部材８に対する回動をロック状態とすることができる。中間部材８は、上述のように比較的柔軟性を有する合成樹脂から構成されているので、係合腕３２の先端を内側に押圧することによって、係合部３６、３６を歯形部２４ａの凹部から離間させ、クリップ部材６に対するロック状態を解除することができ、この際、クリップ部材６は、中間部材８に対して回動することができる。そして、係合腕３２の押圧状態を解除すると、係合部３６、３６は、歯形部２４ａの凹部に係合するように復帰してクリップ部材６を再びロック状態とすることができる。このようにクリップ部材６を中間部材８に対して回動させた状態で固定することができるので、クリップ部材６によって、保持される表示物の角度を自由に設定することができる。
【００２０】
支持部４の表面には、凹部３８が図３の左右方向の全域に亘って形成されており、その凹部３８を形成する一対の縁部４０、４０には、第２突起部２８、２８を軸支する一対の支持片４２、４２が先端方向に向かって突出している。この支持片４２、４２の先端近傍には、中間部材８の第２突起部２８、２８が挿嵌可能な支持孔４２ａ、４２ａが形成されており、第２突起部２８、２８が支持孔４２ａ、４２ａに挿嵌することによって、支持部４が表示物保持部２を回動可能な状態で支持することができるように構成されている。凹部３８の底表面には、図４に示すように、その左右の端部それぞれから上方内側に向かって湾曲した一対の付勢片４６、４６が突出して設けられており、これら一対の付勢片４６、４６は、図１に示すように、それぞれが接触しないように異なる縁部４０、４０に寄って設けられている。また、一対の付勢片４６、４６は、表示部保持部２の支持部４に対する回転軸と垂直な面に位置し、その回転軸方向から見て、交差するのに十分な長さを有する。そして、中間部材８のベース部２６の当接面２６ａが、表示物保持部２の支持部４に対する回転軸を偏心とする横長の曲面を形成しているので、一対の付勢片４６、４６は、中間部材８の第２突起部２８、２８が支持孔４２ａ、４２ａに挿嵌され、支持部４が表示物保持部２を回動可能な状態で支持する状態においては、いずれも当接面２６ａを付勢して、表示物保持部２を支持部４に対して垂直な状態で維持するように作用する。
【００２１】
一方、図１に示す支持部４の縁部４０、４０の外方には、それぞれ表示物取付器具の末端方向に延びる長さの異なる脚部４８ａ、４８ｂと、脚部４８ａ、４８ｂの底部に形成された図１の左右外側方向に延びる係合爪５０ａ、５０ｂが形成されている。そして、図６に示すように、支持部４の脚部４８ａ、４８ｂを湾曲させ、商品陳列棚の縁に形成された凹部、いわゆるプライスレール５２の上部係合部５２ａに、長く形成された脚部４８ａの係合爪５０ａを係合させ、下部係合部５２ｂに、短く形成された脚部４８ｂの係合爪５０ｂを係合させることができる。これらの係合により、本発明に係る表示物取付器具は、プライスレール５２に装着される。そして、クリップ部材６に、陳列した商品の価格等が記載された商品内容表示カード５１を把持することにより、表示物取付器具としての機能を果たすことができる。
【００２２】
以上のように構成された本実施例に係る表示物取付器具は、上述のように一対の付勢片４６、４６によって表示物保持部２を支持部４に対して垂直な状態で維持されており、この状態から表示物保持部２に対して、通行人が接触するなどにより図２の左右方向から応力が加えられると、表示物保持部２は、支持部４に対して回動する。この際、中間部材８のベース部２６の当接面２６ａは、表示物保持部２の支持部４に対する回転軸を偏心とする横長の曲面を形成しているので、図５に示すように当接面２６ａの左右端部側のいずれかが一対の付勢片４６、４６のいずれかをその付性力に抗して押圧する。したがって、表示物保持部２に対する左右方向からの応力が解除されると、表示物保持部２は、付勢片４６、４６の付勢力によって元の垂直な位置に復帰する。
【００２３】
本発明に係る表示物取付器具の内容は、上述した実施例に限定されるものではなく、発明の趣旨を逸脱しない範囲内において種々の変更、追加、置換等が可能である。例えば、プライスレール５０に取り付け可能な支持部４に限られることはなく、図７〜図９に示すようにフックハンガーに取り付け可能な支持部５６とすることも可能である。ここで、図７は、本発明の他の実施例に係る表示物取付器具の正面図であり、図８は、図７の側面図であり、図９は、図７のＢ−Ｂ’断面図である。
【００２４】
このフックハンガーに取り付け可能な表示物取付器具においては、表示物保持部２は、同様であり、異なる箇所は、支持部５６のみである。すなわち、フックハンガーに取り付け可能な支持部５６は、プライスレール５２に取り付け可能な支持部４と同様に、支持片５８、５８において、中間部材８の第２軸部２８、２８を軸支し、付勢片６０、６０により、中間部材８の支持部５６に対する相対位置を一定に保っている。そして、湾曲したフックハンガー５４ａを嵌合する嵌合部６２と、直状であってより細径のフックハンガー５４ｂの場合であっても装着可能なように孔６４が、形成されている。
【図面の簡単な説明】
【００２５】
【図１】本発明の実施例に係る表示物取付器具の正面図である。
【図２】本実施例に係る表示物取付器具の側面図である。
【図３】本実施例に係る表示物取付器具の図１のＡ−Ａ’断面図である。
【図４】本実施例に係る図２の一部断面分解図である。
【図５】本実施例に係る表示物取付器具の動作状態を示す図である。
【図６】本実施例に係る表示物取付器具の動作状態を示す図である。
【図７】本発明の他の実施例に係る表示物取付器具の正面図である。
【図８】他の実施例に係る表示物取付器具の側面図である。
【図９】他の実施例に係る表示物取付器具の図７のＢ−Ｂ’断面図である。
【図１０】従来の表示物取付器具の斜視図である。
【符号の説明】
【００２６】
２…表示物保持部、４…支持部、６…クリップ部材、８…中間部材、１０…第１表示物保持片、１２…第２表示物保持片、１４…第１突部、１６…第２突部、１８…ばね部、２０…滑り止め、２２…操作部、２４…突出部、２４ａ…歯形部、２４ｂ…第１突起部、２６…ベース部、２６ａ…当接部、２８…第２突起部、３０…支持片、３０ａ…支持孔、３２…係合腕、３４…突起、３６…係合部、３８…凹部、４０…縁部、４２…支持片、４２ａ…支持孔、４６…付勢片、４６ａ…先端、４８ａ、４８ｂ…脚部、５０ａ，５０ｂ…係合爪、５１…商品内容表示カード、５２…プライスレール、５２ａ，５２ｂ…係合部、５４ａ、５４ｂ…フックハンガー、５６…支持部、５８…支持片、６０…付勢片、６２…嵌合部、６４…孔。
【図１】
0004708151.tif 000002
【図２】
0004708151.tif 000003
【図３】
0004708151.tif 000004
【図４】
0004708151.tif 000005
【図５】
0004708151.tif 000006
【図６】
0004708151.tif 000007
【図７】
0004708151.tif 000008
【図８】
0004708151.tif 000009
【図９】
0004708151.tif 000010
【図１０】
0004708151.tif 000011